(57)【要約】【課題】文字情報を入力する際のユーザの使いにくさを軽減することのできる通信装置を提供することを目的としている。【解決手段】文字情報を入力するためのキーボードを備えた通信装置において、上記キーボードに設けられている各キー７ｄに割り当てられる文字を変更できるようにしたので、ユーザのアルファベット文字入力時の操作が円滑になるとともに、必要な記号等を入力することができることとなるという効果を得る。【選択図】図４
2008295091.tif 000002
【特許請求の範囲】
【請求項１】
文字情報を入力するためのキーボードを備えた通信装置において、
上記キーボードに設けられている各キーに割り当てられる文字を変更できることを特徴とする通信装置。
【請求項２】
前記キーボードに設けられている各キーへの文字の割り当て態様は、所定のキーボード文字配列に従うことを特徴とする請求項１記載の通信装置。
【請求項３】
前記所定のキーボード文字配列は、
複数設けられ、使用する文字配列をユーザが選択できるようにしたことを特徴とする請求項２記載の通信装置。
【請求項４】
装置構成を判断する装置構成判断手段をさらに備え、
上記装置構成判断手段の判断結果に基づいて、前記所定のキーボード文字配列を選択するようにしたことを特徴とする請求項３記載の通信装置。
【請求項５】
装置の設置国を判断する設置国判断手段をさらに備え、
上記設置国判断手段の判断結果に基づいて、前記所定のキーボード文字配列を選択するようにしたことを特徴とする請求項３記載の通信装置。
【請求項６】
装置構成を判断する装置構成判断手段と、
装置の設置国を判断する設置国判断手段をさらに備え、
上記設置国判断手段の判断結果、または、上記装置構成判断手段の判断結果に基づいて、前記所定のキーボード文字配列を選択するようにしたことを特徴とする請求項３記載の通信装置。
【請求項７】
数字情報を入力するためのテンキーを備えた通信装置において、
上記テンキーに設けられている各キーに割り当てられる文字を変更できることを特徴とする通信装置。
【請求項８】
前記テンキーに設けられている各キーへの文字の割り当て態様は、所定のテンキー文字配列に従うことを特徴とする請求項７記載の通信装置。
【請求項９】
前記所定のテンキー文字配列は、複数設けられ、使用する文字配列をユーザが選択できるようにしたことを特徴とする請求項８記載の通信装置。
【発明の詳細な説明】
【技術分野】
【０００１】
本発明は、文字情報を入力するためのキーボードを備えた通信装置、および、数字情報を入力するためのテンキーを備えた通信装置に関する。
【背景技術】
【０００２】
従来より、ファクシミリ装置などの通信装置では、宛先情報を登録する宛先登録機能を備えており、ワンタッチダイアル機能と組み合わせて、宛先を選択する際のユーザの操作を簡便化できるようにしている。
【０００３】
例えば、ワンタッチダイアル機能の１つのワンタッチダイアルキーに対して、宛先のファクシミリ番号（電話番号）を登録した際、そのワンタッチダイアルキーの登録情報へ、宛先の名称等を登録できるようにしておく。
【０００４】
そして、ワンタッチダイアルキーが操作されたとき、登録されている宛先名称を表示することで、ユーザが宛先の確認を容易に行えるようにしている。
【０００５】
また、ファクシミリ装置においては、このような宛先名称などの文字情報を操作入力する場面は、他の状況でも生じる。例えば、自端末の識別のための自端末名称情報を操作入力する際などである。
【０００６】
このようにして、通信装置では、種々の場面において、ユーザが文字情報を操作入力する必要を生じている。
【発明の開示】
【発明が解決しようとする課題】
【０００７】
このようにして、ユーザが文字情報を操作入力するためには、そのための入力手段が必要である。
【０００８】
従来では、例えば、１０個ｘ３列の配列を持つワンタッチダイアルキーユニットを備え、それぞれのキーにアルファベット等を割り当て、操作できるようにしているが、そのキーへのアルファベット等の文字配列の割り当て態様は固定されており、ユーザによっては、使いにくいという不具合を生じていた。
【０００９】
本発明は、かかる実情に鑑みてなされたものであり、文字情報を入力する際のユーザの使いにくさを軽減することのできる通信装置を提供することを目的としている。
【課題を解決するための手段】
【００１０】
本発明は、文字情報を入力するためのキーボードを備えた通信装置において、上記キーボードに設けられている各キーに割り当てられる文字を変更できるようにしたものである。
【００１１】
また、前記キーボードに設けられている各キーへの文字の割り当て態様は、所定のキーボード文字配列に従うものである。また、前記所定のキーボード文字配列は、複数設けられ、使用する文字配列をユーザが選択できるようにしたものである。
【００１２】
また、装置構成を判断する装置構成判断手段をさらに備え、上記装置構成判断手段の判断結果に基づいて、前記所定のキーボード文字配列を選択するようにしたものである。
【００１３】
また、装置の設置国を判断する設置国判断手段をさらに備え、上記設置国判断手段の判断結果に基づいて、前記所定のキーボード文字配列を選択するようにしたものである。
【００１４】
また、装置構成を判断する装置構成判断手段と、装置の設置国を判断する設置国判断手段をさらに備え、上記設置国判断手段の判断結果、または、上記装置構成判断手段の判断結果に基づいて、前記所定のキーボード文字配列を選択するようにしたものである。
【００１５】
また、数字情報を入力するためのテンキーを備えた通信装置において、上記テンキーに設けられている各キーに割り当てられる文字を変更できるようにしたものである。
【００１６】
また、前記テンキーに設けられている各キーへの文字の割り当て態様は、所定のテンキー文字配列に従うようにしたものである。また、前記所定のテンキー文字配列は、複数設けられ、使用する文字配列をユーザが選択できるようにしたものである。
【発明の効果】
【００１７】
本発明によれば、文字情報を入力するためのキーボードを備えた通信装置において、上記キーボードに設けられている各キーに割り当てられる文字を変更できるようにしたので、ユーザのアルファベット文字入力時の操作が円滑になるとともに、必要な記号等を入力することができることとなるという効果を得る。
【００１８】
また、数字情報を入力するためのテンキーを備えた通信装置において、上記キーボードに設けられている各キーに割り当てられる文字を変更できるようにしたので、ユーザの数字入力時の操作が円滑になるという効果も得る。
【発明を実施するための最良の形態】
【００１９】
以下、添付図面を参照しながら、本発明の実施の形態を詳細に説明する。
【００２０】
図１は、本発明の一実施の形態にかかるグループ３ファクシミリ装置を示している。
【００２１】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００２２】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００２３】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２４】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２５】
網制御装置１１は、このグループ３ファクシミリ装置をアナログ公衆網ＰＳＴＮに接続するためのものであり、自動発着信機能を備えている。
【００２６】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００２７】
また、網制御装置１１とグループ３ファクシミリモデム１０との間のデータのやりとりは、直接行なわれている。
【００２８】
また、このグループ３ファクシミリ装置には、オプションとしてローカルエリアネットワークＬＡＮに接続する機能を追加することができる。その場合の構成例を図２に示す。なお、同図において、図１と同一部分および相当する部分には同一符号を付している。
【００２９】
同図において、システム制御部１は、このグループ３ファクシミリ装置の各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するものである。
【００３０】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００３１】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００３２】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３３】
網制御装置１１は、このネットワークファクシミリ装置ＦＸをアナログ公衆網ＰＳＴＮに接続するためのものであり、自動発着信機能を備えている。
【００３４】
ローカルエリアネットワークインターフェース回路２１は、このグループ３ファクシミリ装置をローカルエリアネットワークＬＡＮに接続するためのものであり、ローカルエリアネットワーク伝送制御部２２は、ローカルエリアネットワークＬＡＮを介して、他のデータ端末装置との間で種々のデータをやりとりするための各種所定のプロトコルスイートの通信制御処理を実行するためのものである。
【００３５】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部２１は、内部バス１２に接続されており、これらの各要素間でのデータのやりとりは、主としてこの内部バス１２を介して行われている。
【００３６】
また、網制御装置１１とグループ３ファクシミリモデム１０との間のデータのやりとりは、直接行なわれている。
【００３７】
また、このグループ３ファクシミリ装置を用いて構築されるネットワークシステムの一例を図３に示す。
【００３８】
同図において、ローカルエリアネットワークＬＡＮには、複数のワークステーション装置ＷＳ１〜ＷＳｎ、メールサーバ装置ＳＭ、および、ネットワークファクシミリ装置ＦＸ（図２のグループ３ファクシミリ装置）が接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００３９】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００４０】
また、ローカルエリアネットワークＬＡＮは、ルータ装置ＲＴを介して、インターネットへと接続され、それにより、ワークステーション装置ＷＳ１〜ＷＳｎ、メールサーバ装置ＳＭ、および、ネットワークファクシミリ装置ＦＸは、他のローカルエリアネットワーク等に接続されているホスト装置等との間で種々のデータのやりとりが可能である。
【００４１】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００４２】
また、ネットワークファクシミリ装置ＦＸは、画情報や各種レポートなどを電子メールとしてやりとりするための電子メール処理機能、および、公衆網（ＰＳＴＮ）に接続し、この公衆網を伝送路として用いてグループ３ファクシミリ伝送手順による画情報伝送を行う伝送機能を備えている。
【００４３】
図４は、操作表示部７の一例を示している。
【００４４】
同図において、スタートキー７ａは、このグループ３ファクシミリ装置の送受信動作の開始を指令入力するためのものであり、ストップキー７ｂは、このグループ３ファクシミリ装置の動作の停止を指令入力するためのものであり、テンキー７ｃは、電話番号などの数字（数値）情報を入力するためのものである。
【００４５】
ワンタッチダイアルキー７ｄは、１つのキー操作で宛先を指定するワンタッチダイアル機能の操作を行うためのものであり、１０個ｘ３列の態様に３０個のキーが配列されている。また、ファンクションキー７ｅは、ワンタッチダイアル機能へのデータ登録など、このグループ３ファクシミリ装置の種々のファンクション機能を指定するためのものである。
【００４６】
液晶表示器７ｆは、このグループ３ファクシミリ装置からオペレータへの種々のメッセージを表示するためのものであり、ＹＥＳキー７ｇは、液晶表示器７ｆに表示されたガイダンスメッセージに対する肯定的な回答を入力するためのものであり、ＮＯキー７ｈは、液晶表示器７ｆに表示されたガイダンスメッセージに対する否定的な回答を入力するためのものである。
【００４７】
さて、ワンタッチダイアルキー７ｄは、文字入力の際のキーボード手段として用いられる。
【００４８】
従来では、このキーボード手段として用いられる際のアルファベット等の文字配列は、多くの場合、図５に示すようなアルファベット順に対応したアルファベット順文字配列（以下、「ＡＢＣ文字配列」という）が適用されていた。
【００４９】
このアルファベット順文字配列は、例えば、パーソナルコンピュータ等のキーボードになれていないユーザが、入力しようとするアルファベット文字を視認しながら入力する際には有効である。
【００５０】
一方、近年では、パーソナルコンピュータのユーザが増えてきている。パーソナルコンピュータのユーザは、パーソナルコンピュータのキーボードに慣れているため、キーボード手段の文字配列としては、このパーソナルコンピュータのキーボードにおける文字配列（以下、「ＱＷＥＲＴＹ文字配列」という）を採用した方が、文字入力を効率よく行うことができる。
【００５１】
図６に示すようなパーソナルコンピュータのキーボードに採用されている文字配列に対応したＱＷＥＲＴＹ文字配列を採用した際のワンタッチダイアルキー７ｄの文字配列態様の一例を示している。
【００５２】
なお、「Ａ／ａ」キーは、大文字と小文字をトグルで切り換える際に使用されるキーであり、「Ｓｐａｃｅ」キーは、空白を入力する際に使用されるキーであり、「記号」キーは、オン操作されるたびに複数の記号を順次表示するものである。
【００５３】
このように、ユーザのキーボードに対する慣れによって、ワンタッチダイアルキー７ｄの文字配列態様を変更できるようにすると、ユーザが文字入力する際の手間を軽減することができる。
【００５４】
一方、図２に示したように、ローカルエリアネットワーク接続機能を備えたグループ３ファクシミリ装置では、宛先として電子メールアドレスを入力する必要がある。
【００５５】
この場合、図７に示すように、図６の「（）（かっこ）」と「Ｓｐａｃｅ（空白）」とを、それぞれ電子メールアドレスに用いられている記号「＠」と「．（コンマ）」に置き換えた文字配列（以下、「インターネット文字配列」という）を採用することが好ましい。
【００５６】
したがって、図２に示したようなネットワークファクシミリ装置として用いられるローカルエリアネットワーク接続機能を備えたグループ３ファクシミリ装置では、キーボード手段の文字配列としては、図７に示したようなインターネット文字配列を採用することが好ましい。
【００５７】
すなわち、グループ３ファクシミリ装置の装置構成（オプション構成）に基づいて、文字入力する際にワンタッチダイアルキー７ｄに割り当てる文字配列を変更する必要を生じる場合がある。
【００５８】
さらに、グループ３ファクシミリ装置の設置国に応じて、文字入力する際にワンタッチダイアルキー７ｄに割り当てる文字配列を変更する必要を生じる場合がある。
【００５９】
例えば、フランス国では、パーソナルコンピュータのキーボードの文字配列は、ＱＷＥＲＴＹ文字配列と、「Ｑ」キーと「Ａ」キーの位置が逆、「Ｗ」キーと「Ｚ」キーの位置が逆、さらに、「Ｍ」キーの位置が中断右端に設定されている。
【００６０】
そこで、グループ３ファクシミリ装置の設置国がフランス国である場合、文字入力する際にワンタッチダイアルキー７ｄに割り当てる文字配列を、例えば図８に示したような文字配列（以下、「フランス版文字配列」という）に設定すると、ユーザが文字入力する際の手間を軽減することができる。
【００６１】
以上は、アルファベット文字を入力する際にキーボード手段として用いられるワンタッチダイアルキー７ｄの文字配列について説明したが、テンキー７ｃの文字配列について、次に説明する。
【００６２】
通常、通信機器におけるテンキーの文字配列は、図９に示すように、電話機のダイアルに合わせたものとなっている。以下、この文字配列を「標準テンキー配列」という。
【００６３】
一方、パーソナルコンピュータや電卓等のデータ処理装置におけるテンキーの文字配列は、図１０に示すような態様となっている。以下、この文字配列を「拡張テンキー配列」という。
【００６４】
ユーザによっては、拡張テンキー配列になれている場合があり、この場合、グループ３ファクシミリ装置のテンキー７ｃの文字配列を、拡張テンキー配列に設定すると、ユーザの操作が円滑になる。
【００６５】
以上のように、まず、アルファベット文字を入力する際にキーボード手段として用いられるワンタッチダイアルキー７ｄの文字配列は、ユーザの好み、接続されるオプション構成の内容、および、装置の設置国に応じて変更することが好ましい。
【００６６】
また、テンキー７ｃの文字配列は、ユーザの好みに応じて、標準テンキー配列または拡張テンキー配列に設定することが好ましい。
【００６７】
このようなワンタッチダイアルキー７ｄの文字配列態様、および、テンキー７ｃの文字配列態様を変更できるようにするために、まず、ワンタッチダイアルキー７ｄの各キーおよびテンキー７ｃの各キーを押すと、所定のキーコードを発生させるようにし、そのおのおののキーコードに対して、対応する文字のキャラクタコードを割り当てるようにする。
【００６８】
そして、このキーコードとキャラクタコードの対応関係を、ワンタッチダイアルキー７ｄの場合には上述したようなＡＢＣ文字配列、ＱＷＥＲＴＹ文字配列、インターネット文字配列に対応して設定し、また、テンキー７ｃの場合には上述したような標準テンキー配列、拡張テンキー配列に対応して設定しておき、ユーザの好み等に応じて、その対応関係を変更できるようにすればよい。
【００６９】
そこで、本実施の形態では、ワンタッチダイアルキー７ｄについては、図１１（ａ）に示すようにワンタッチキー管理情報を設ける。このワンタッチキー管理情報は、１つの文字配列についてキーコードとキャラクタコードの対応関係を記憶したワンタッチキーキーマップテーブルを、複数設けたものである。
【００７０】
また、それぞれのワンタッチキーキーマップテーブルは、同図（ｂ）に示すように、そのワンタッチキーキーマップテーブルの属性（ＡＢＣ文字配列、ＱＷＥＲＴＹ文字配列、フランス版文字配列等の区別）をあらわすワンタッチキーキーマップ属性情報、それぞれのキーＷ０１〜Ｗ３０への割り当て情報をあらわすワンタッチキーキーマップ情報＃１〜＃３０からなる。
【００７１】
また、ワンタッチキーキーマップ情報は、同図（ｃ）に示すように、そのワンタッチキーに対応したキーコードと、割り当てられた文字に対応したキャラクタコードからなる。
【００７２】
また、テンキー７ｃについては、図１２（ａ）に示すようなテンキー管理情報を記憶している。このテンキー管理情報は、それぞれ標準テンキー配列および拡張テンキー配列に対応したテンキーキーマップテーブル＃１，＃２からなり、おのおののテンキーキーマップテーブルは、同図（ｂ）に示すように、それぞれのキーＴ０１〜Ｔ１２への割り当て情報をあらわすテンキーキーマップ情報＃１〜＃１２からなる。
【００７３】
また、テンキーキーマップ情報は、同図（ｃ）に示すように、そのテンキーに対応したキーコードと、割り当てられた文字（数字）に対応したキャラクタコードからなる。
【００７４】
以上の構成で、ユーザによりワンタッチダイアルキー７ｄが操作された場合の処理の一例を図１３に示す。
【００７５】
ワンタッチダイアルキー７ｄの操作を検出すると（判断１０１の結果がＹＥＳ）、そのときの操作表示部７の入力状態がアルファベット文字の入力画面であるかどうかを調べる（判断１０２）。
【００７６】
判断１０２の結果がＮＯになるときには、所定のワンタッチダイアルテーブル（図示略）から、操作されたワンタッチダイアルキー７ｄに対応した登録情報を読み出して（処理１０３）、その読み出した内容を表示して（処理１０４）、次の処理へ移行する。
【００７７】
また、判断１０２の結果がＹＥＳになるときには、そのときにユーザにより設定されているキー配列種別が、ＡＢＣ文字配列であるかＱＷＥＲＴＹ文字配列であるかを調べ（処理１０５）、処理１０５で判別した文字配列に対応したワンタッチキーキーマップを読み込み（処理１０６）、その読み込んだワンタッチキーキーマップに基づいて、そのときの操作キーに対応したキャラクタコードを発生する（処理１０７）。
【００７８】
次いで、文字入力が終了するか、ワンタッチダイアルキー７ｄの操作があることを監視し（判断１０８，１０９のＮＯループ）、ワンタッチダイアルキー７ｄの操作がされて判断１０９の結果がＹＥＳになるときには、処理１０７へ移行し、そのときに操作されたキーに対応したキャラクタコードを発生する。また、文字入力が終了して判断１０８の結果がＹＥＳになるときには、次の処理へ移行する。
【００７９】
このようにして、本実施の形態では、ユーザが選択したＡＢＣ文字配列、または、ＱＷＥＲＴＹ文字配列に、アルファベット文字入力時のワンタッチダイアルキー７ｄの文字配列態様を設定することができるので、ユーザのアルファベット文字入力時の操作が円滑になる。
【００８０】
図１４は、ユーザによりワンタッチダイアルキー７ｄが操作された場合の処理の他の例を示している。
【００８１】
ワンタッチダイアルキー７ｄの操作を検出すると（判断２０１の結果がＹＥＳ）、そのときの操作表示部７の入力状態がアルファベット文字の入力画面であるかどうかを調べる（判断２０２）。
【００８２】
判断２０２の結果がＮＯになるときには、所定のワンタッチダイアルテーブル（図示略）から、操作されたワンタッチダイアルキー７ｄに対応した登録情報を読み出して（処理２０３）、その読み出した内容を表示して（処理２０４）、次の処理へ移行する。
【００８３】
また、判断２０２の結果がＹＥＳになるときには、そのときにグループ３ファクシミリ装置に設定されている仕向地情報（設置国情報）を取得し（処理２０５）、そのときにユーザにより設定されているキー配列種別が、ＡＢＣ文字配列であるかＱＷＥＲＴＹ文字配列であるかを調べ（処理２０６）、さらに、オプション機能としてローカルエリアネットワーク構成を備えているかどうかの情報を取得する（処理２０７）。
【００８４】
そして、処理２０５で取得した仕向地情報、処理２０６で判別した文字配列情報、および、処理２０７で取得したローカルエリアネットワーク構成情報に対応したワンタッチキーキーマップを読み込み（処理２０８）、その読み込んだワンタッチキーキーマップに基づいて、そのときの操作キーに対応したキャラクタコードを発生する（処理２０９）。
【００８５】
次いで、文字入力が終了するか、ワンタッチダイアルキー７ｄの操作があることを監視し（判断２１０，２１１のＮＯループ）、ワンタッチダイアルキー７ｄの操作がされて判断２１１の結果がＹＥＳになるときには、処理２０９へ移行し、そのときに操作されたキーに対応したキャラクタコードを発生する。また、文字入力が終了して判断２１０の結果がＹＥＳになるときには、次の処理へ移行する。
【００８６】
このようにして、本実施の形態では、グループ３ファクシミリ装置の仕向地（設置国）、ユーザが選択したＡＢＣ文字配列、または、ＱＷＥＲＴＹ文字配列の区別、および、ローカルエリアネットワーク構成の有無に基づいて、アルファベット文字入力時のワンタッチダイアルキー７ｄの文字配列態様を設定することができるので、ユーザのアルファベット文字入力時の操作が円滑になるとともに、必要な記号等を入力することができることとなる。
【００８７】
例えば、設置国（「仕向地」ともいう）が日本国または英語圏国（英国、米国等）の場合、ローカルエリアネットワーク構成がある場合には、インターネット文字配列を採用し、ローカルエリアネットワーク構成がない場合、ユーザがＡＢＣ文字配列を選択している場合にはＡＢＣ文字配列を採用し、ユーザがＱＷＥＲＴＹ文字配列を選択している場合には、ＱＷＥＲＴＹ文字配列を採用する。
【００８８】
また、設置国がフランス語圏国（フランス国、インドシナ諸国等）の場合、ローカルエリアネットワーク構成がある場合には、インターネット文字配列を採用し、ローカルエリアネットワーク構成がない場合、ユーザがＡＢＣ文字配列を選択している場合にはＡＢＣ文字配列を採用し、ユーザがＱＷＥＲＴＹ文字配列を選択している場合には、フランス版文字配列を採用する。
【００８９】
また、ユーザによりテンキー７ｃが操作された場合の処理の一例を図１５に示す。
【００９０】
テンキー７ｃの操作を検出すると（判断３０１の結果がＹＥＳ）、そのときにユーザにより設定されているキー配列種別が、標準テンキー配列であるか拡張テンキー配列であるかを調べ（処理３０２）、処理３０２で判別した文字配列に対応したテンキーキーマップを読み込み（処理３０３）、その読み込んだテンキーキーマップに基づいて、そのときの操作キーに対応したキャラクタコードを発生し（処理３０４）、この処理を終了する。
【００９１】
このようにして、本実施の形態では、ユーザが選択した標準テンキー配列または拡張テンキー配列に、数字入力時のテンキー７ｃの文字配列態様を設定することができるので、ユーザの数字入力時の操作が円滑になる。
【００９２】
ところで、上述した実施例では、ワンタッチダイアルキー７ｄに割り当てられる文字配列、および、テンキー７ｃに割り当てられる文字配列が、固定されないので、ワンタッチダイアルキー７ｄおよびテンキー７ｃの操作面に固有の文字を刻印したり印刷等することが困難となる。
【００９３】
そこで、ワンタッチダイアルキー７ｄおよびテンキー７ｃの操作面に、割り当てられる文字を表示する表示面を設け、その表示面にラベルを貼り付けるようにすると、ユーザは、ワンタッチダイアルキー７ｄおよびテンキー７ｃの操作を円滑に行えることとなる。
【００９４】
また、その場合、ワンタッチダイアルキー７ｄおよびテンキー７ｃの表示面に貼り付けるラベルは、グループ３ファクシミリ装置のプロッタ６より記録出力させるようにすると良い。
【００９５】
図１６は、ワンタッチダイアルキー７ｄの表示面に貼り付けるラベルを記録出力する際の処理の一例を示している。
【００９６】
まず、そのときにグループ３ファクシミリ装置に設定されている仕向地情報（設置国情報）を取得し（処理４０１）、そのときにユーザにより設定されているキー配列種別が、ＡＢＣ文字配列であるかＱＷＥＲＴＹ文字配列であるかを調べ（処理４０２）、さらに、オプション機能としてローカルエリアネットワーク構成を備えているかどうかの情報を取得する（処理４０３）。
【００９７】
そして、処理４０１で取得した仕向地情報、処理４０２で判別した文字配列情報、および、処理４０３で取得したローカルエリアネットワーク構成情報に対応したワンタッチキーキーマップを読み込み（処理４０４）、その読み込んだワンタッチキーキーマップに基づいて、そのときにワンタッチダイアルキー７ｄの表示面に貼り付けるラベルを記録出力するための画データを作成し（処理４０５）、その画データの内容をプロッタ６より記録出力する（処理４０６）。
【００９８】
ここで、このときに記録出力するラベルの画像は、例えば、図５〜８に示したようなものを用いることができる。
【００９９】
図１７は、テンキー７ｃの表示面に貼り付けるラベルを記録出力する際の処理の一例を示している。
【０１００】
まず、そのときにユーザにより設定されているキー配列種別が、標準テンキー配列であるか拡張テンキー配列であるかを調べ（処理５０１）、処理５０１で判別した文字配列に対応したテンキーキーマップを読み込み（処理５０２）、その読み込んだワンタッチキーキーマップに基づいて、そのときにテンキー７ｃの表示面に貼り付けるラベルを記録出力するための画データを作成し（処理５０３）、その画データの内容をプロッタ６より記録出力する（処理５０４）。
【０１０１】
ここで、このときに記録出力するラベルの画像は、例えば、図９、図１０に示したようなものを用いることができる。
【０１０２】
また、例えばワンタッチ切換えプレートを利用することで、装置使用状態でワンタッチダイアルキー７ｄの文字配列種別をユーザが随時選択切換えできるようにすれば、より実用的となる。
【０１０３】
図１８および図１９はワンタッチ切換えプレート３１を利用した操作表示部７のワンタッチダイアルキー７d付近の構成の一例を示している。図１８は具体的な構成例を示す平面図、図１９はワンタッチ切換えプレート３１の開閉状態を模式的に示す説明図である。この種の操作表示部７にあっては、登録できるワンタッチ数を増やすためにワンタッチダイアルキー７d上にワンタッチ切換えプレート３１を支点３２を中心に左右に回動めくり自在に設けたものがあり、これにより、例えば１０個ｘ３列の３０個のキーに関して、図１８（ａ）に示すような０１〜３０の３０個分のワンタッチ数を持たせ、ワンタッチ切換えプレート３１を左側に倒すと、図１８（ｂ）に示すような３１〜６０の３０個分のワンタッチ数（合計で６０個分）を持たせることが可能とされている。ワンタッチ切換えプレート３１が右側に倒されているか左側に倒されているかは、ワンタッチ切換えプレート３１を左側に倒したときにワンタッチ切換えプレート３１に押されてオンするマイクロスイッチ等の検出スイッチ３３により検出される。即ち、検出スイッチ３３が押されていない状態（オフ状態）では０１〜３０によるワンタッチ割当てとされ、検出スイッチ３３が押されている状態（オン状態）では３１〜６０によるワンタッチ割当てとされる。
【０１０４】
そこで、本実施の形態では、例えば図１８（ａ）に示すような０１〜３０によるワンタッチ割り当てでは、ワンタッチダイアルキー７ｄの各キーに対してＡＢＣ文字配列を割当て、図１８（ｂ）に示すような３１〜６０によるワンタッチ割り当てでは、ワンタッチダイアルキー７ｄの各キーに対してＱＷＥＲＴＹ文字配列を割り当て、何れの文字配列で使用するかをワンタッチ切換えプレート３１により選択切換えするようにしたものである。このような文字配列に関しても、何れが選択されているかは（前述の判断１０５，２０６等）、検出スイッチ３３のオン・オフに基づき行えばよい。これによれば、２種類の文字配列を随時切換え自在に利用することができる。
【０１０５】
なお、キー配列が４列等の偶数であれば、ワンタッチ切換えプレートを上下方向に回動めくり自在に設けてもよい。また、テンキー７ｃ側についても同様に適用可能である。
【０１０６】
ところで、上述した実施の形態では、グループ３ファクシミリ装置に本発明を適用した場合について説明したが、本発明は、それ以外の通信装置（例えば、グループ４ファクシミリ装置や電話機についても同様にして適用することができる。
【０１０７】
また、仕向地に応じてキーボード手段の文字配列を切り換える際、他国語の文字配列を選択できるようにすることができる。また、標準配列として、他の配列、例えば、いわゆるＤＶＯＲＡＫ配列等を採用することもできる。
【図面の簡単な説明】
【０１０８】
【図１】本発明の一実施の形態にかかるグループ３ファクシミリ装置の構成例を示したブロック図。
【図２】本発明の一実施の形態にかかるグループ３ファクシミリ装置の他の構成例を示したブロック図。
【図３】ネットワークシステムの一例を示したブロック図。
【図４】操作表示部７の一例を示した概略図。
【図５】ＡＢＣ文字配列の一例を示した概略図。
【図６】ＱＷＥＲＴＹ文字配列の一例を示した概略図。
【図７】インターネット文字配列の一例を示した概略図。
【図８】フランス版文字配列の一例を示した概略図。
【図９】標準テンキー配列の一例を示した概略図。
【図１０】拡張テンキー配列の一例を示した概略図。
【図１１】ワンタッチキー管理情報の一例を示した概略図。
【図１２】テンキー管理情報の一例を示した概略図。
【図１３】ユーザによりワンタッチダイアルキー７ｄが操作された場合の処理の一例を示したフローチャート。
【図１４】ユーザによりワンタッチダイアルキー７ｄが操作された場合の処理の他の例を示したフローチャート。
【図１５】ユーザによりテンキー７ｃが操作された場合の処理の一例を示したフローチャート。
【図１６】ワンタッチダイアルキー７ｄの表示面に貼り付けるラベルを記録出力する際の処理の一例を示したフローチャート。
【図１７】テンキー７ｃの表示面に貼り付けるラベルを記録出力する際の処理の一例を示したフローチャート。
【図１８】ワンタッチダイアルキー７ｄ付近の具体的な構成例を示す平面図。
【図１９】ワンタッチ切換えプレート３１の開閉状態を模式的に示す説明図。
【符号の説明】
【０１０９】
１  システム制御部
７  操作表示部
７ｃ  テンキー
７ｄ  ワンタッチダイアルキー
【図１】
2008295091.tif 000003
【図２】
2008295091.tif 000004
【図３】
2008295091.tif 000005
【図４】
2008295091.tif 000006
【図５】
2008295091.tif 000007
【図６】
2008295091.tif 000008
【図７】
2008295091.tif 000009
【図８】
2008295091.tif 000010
【図９】
2008295091.tif 000011
【図１０】
2008295091.tif 000012
【図１１】
2008295091.tif 000013
【図１２】
2008295091.tif 000014
【図１３】
2008295091.tif 000015
【図１４】
2008295091.tif 000016
【図１５】
2008295091.tif 000017
【図１６】
2008295091.tif 000018
【図１７】
2008295091.tif 000019
【図１８】
2008295091.tif 000020
【図１９】
2008295091.tif 000021
【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
複数のキーが配列されたキーボードと、
前記キーの配列に対応した複数の文字配列を記憶した複数のテーブルと、
前記複数のテーブルから、前記キーボードの文字配列を選択して設定する設定手段と、
前記キーボード上の所定の部分を中心に回動して設けられ、前記キーボードに対する前記文字配列を切換える文字配列切換手段と、
前記文字配列切換手段による切換えを検出する検出手段と、を有し、
前記設定手段は、前記検出手段により検出された結果に基づき、前記文字配列切換手段により切換えられた文字配列を選択された文字配列として、前記キーボードの文字配列に設定することを特徴とする通信装置。
【請求項２】
前記設定手段は、装置の設置国に係る情報または装置の構成に係る情報に基づいて動作することを特徴とする請求項１に記載の通信装置。
【請求項３】
前記文字配列切換手段は、プレートにて構成され、
前記プレートの一方の面に、前記キーボードに配列された第一のキー配列を二等分割したうちの残りの文字配列が配置され、
前記プレートの他方の面に、前記キーボードに配列された第二のキー配列を二等分割したうちの残りの文字配列が配置されることを特徴とする請求項１又は２に記載の通信装置。
【請求項４】
前記検出手段は、マイクロスイッチを含む検出スイッチで構成されることを特徴とする請求項１乃至３の何れか一項に記載の通信装置。
【手続補正２】
【補正対象書類名】明細書
【補正対象項目名】００１０
【補正方法】変更
【補正の内容】
【００１０】
本発明は、複数のキーが配列されたキーボードと、前記キーの配列に対応した複数の文字配列を記憶した複数のテーブルと、前記複数のテーブルから、前記キーボードの文字配列を選択して設定する設定手段と、前記キーボード上の所定の部分を中心に回動して設けられ、前記キーボードに対する前記文字配列を切換える文字配列切換手段と、前記文字配列切換手段による切換えを検出する検出手段と、を有し、前記設定手段は、前記検出手段により検出された結果に基づき、前記文字配列切換手段により切換えられた文字配列を選択された文字配列として、前記キーボードの文字配列に設定するようにしたものである。